(57)【特許請求の範囲】
【請求項１】
ラウドスピーカー（１）であって、
内部容積（２７）を規定する前部（１５）、側部（２１）及び後部（２５）を有する筐体（２）と、
導波路表面（８）として形成され、前記導波路表面（８）の中央部に少なくとも１つの第１のドライバー（３、１２、１３）を含み、前記ラウドスピーカー（１）の主音響パワーを第１の音響軸（１０）の方向に放射することができる前記前部（１５）と、
前記筐体（２）に設けられた少なくとも１つの追加のドライバー（４）と、
を含み、
サブ容積（２２）が前記内部容積（２７）の内部に形成され、前記サブ容積（２２）が前記追加のドライバー（４）、前記追加のドライバー（４）と前記前部（１５）との間のスペーサー（３３）、及び前記筐体（２）の前記前部（１５）によって制限されるように、前記追加のドライバー（４）が前記筐体（２）の内部に取り付けられ、
少なくとも１つの第１のポート（２０）は、前記筐体（２）の前記側部（２１）を通じて、前記サブ容積（２２）から周囲容積（２６）まで開口するように構成され、
前記サブ容積（２２）の前記少なくとも１つの第１のポート（２０）が、前記側部に隣接する２つの他の側部上を部分的に延びるＵ字型スロットとして前記側部（２１）に対して開口し、前記Ｕ字型スロットを含む面は前記第１の音響軸（１０）に対して本質的に垂直である、ラウドスピーカー。
【請求項２】
前記サブ容積（２２）を前記前部（１５）に対して開口し、音響的に選択的に透明な部分（６）によって覆われた前面ポート（５）を含むことを特徴とする請求項１に記載のラウドスピーカー。
【請求項３】
前記ラウドスピーカー（１）が２つの追加のドライバー（４）を含むことを特徴とする請求項１又は２に記載のラウドスピーカー。
【請求項４】
前記追加のドライバー（４）が、前記内部容積（２７）に音響的に連結されていることを特徴とする請求項１〜３のいずれか１項に記載のラウドスピーカー。
【請求項５】
各面がそれぞれ前面ポートと前記第１のポートの外縁によって規定される前記前面ポート（５）の面（３１）と前記第１のポート（２０）のいずれかの面（３２）とが０°より大きい、好ましくは４５°より大きい、角度αを有することを特徴とする請求項１〜４のいずれか１項に記載のラウドスピーカー。
【請求項６】
請求項１〜５のいずれか１項に記載のラウドスピーカーであって、
前記第１のドライバー（３）は、第１の周波数帯（Ｂ１）を生成するように構成され、
第２の音響軸の方向へ放射する前記追加のドライバー（４）は、前記第１の周波数帯（Ｂ１）とは異なるがクロスオーバー領域で重複してもよい第２の周波数帯（Ｂ２）を生成するように構成され、
前記導波路表面（８）は、前記筐体（２）の前記前部（１５）でかつ前記第１のドライバー（３）の周囲に位置される三次元の導波路（８）であり、
前記三次元の導波路（８）は音響的に選択的に透明な部分（６）を有し、前記音響的に選択的に透明な部分（６）は前記第１の音響軸に対して角度を有する方向に伝播する前記第１の周波数帯（Ｂ１）の音波に音響的に本質的に反響し、
前記選択的に透明な部分（６）は、前記選択的に透明な部分（６）を通って前記第２の音響軸（１１）の前記方向に伝播する前記第２の周波数帯（Ｂ２）の音波に対して本質的に透明であり、
前記追加のドライバー（４）は、前記音響的に選択的に透明な部分（６）の背後の前記筐体（２）の内部に位置される、
ラウドスピーカー。
【請求項７】
前記少なくとも１つの第１のポート（２０）の全面積が、前面ポート（５）の面積の典型的には５％〜５０％であり、有利には前記前面ポート（５）の前記面積の１０％〜２０％の範囲内にあることを特徴とする請求項２〜５のいずれか１項に記載のラウドスピーカー。
【請求項８】
前記第１のポートのそれぞれの外縁によって規定される前記第１のポート（２０）の面（３２）は、前記第１の音響軸（１０）に対して８０°〜１８０°の角度を有することを特徴とする請求項１〜７のいずれか１項に記載のラウドスピーカー。
【請求項９】
前記追加のドライバー（４）の放射方向によって規定される第２の音響軸（１１）は前記第１の音響軸（１０）に対して非同軸的であることを特徴とする請求項１〜８のいずれか１項に記載のラウドスピーカー。
【請求項１０】
前記追加のドライバー（４）の放射方向によって規定される第２の音響軸（１１）は前記第１の音響軸（１０）に対して平行ではないことを特徴とする請求項５〜８のいずれか１項に記載のラウドスピーカー。
【請求項１１】
前記少なくとも１つの第１のドライバー（３）は２つの同軸ドライバー（１２、１３）を含むことを特徴とする請求項１〜１０のいずれか１項に記載のラウドスピーカー。
【請求項１２】
前記少なくとも１つの第１のドライバー（３）は単一のドライバー（１２、１３）のみを含むことを特徴とする請求項１〜１１のいずれか１項に記載のラウドスピーカー。
【請求項１３】
前記ラウドスピーカー（１）はバス・レフレックス型のラウドスピーカーであることを特徴とする請求項１〜１２のいずれか１項に記載のラウドスピーカー。
【発明の詳細な説明】
【技術分野】
【０００１】
本発明はラウドスピーカー（loudspeaker）に関し、特に、導波路を有するラウドスピーカーに関する。
【背景技術】
【０００２】
従来技術において、特に２又はそれ以上のドライバーを有するラウドスピーカー（マルチウェイ・ラウドスピーカー）は、ラウドスピーカーの前面バッフル面（front baffle surface）（フェイス）上の不連続性による音波回折（sound diffractions）の問題を生じさせていた。実際には、高周波ドライバー（ツイーター）がその意味では最も重大な部分となる。本出願の出願人は、ツイーターの周囲（surroundings）が、ツイーター及び／又はミッドレンジ・ドライバーのためだけに、又は同軸ミッドレンジ・ツイーター・ドライバーのために、高域及び中域周波数のオーディオ信号用の連続導波路として形成されるという解決策を生み出した。
【０００３】
これらの種類の音源は、導波路ドライバーと呼ばれ、この三次元導波路構造の中心に位置する任意のドライバーを含む。これらの解決策によって、良好な音質と正確な音声エネルギーの誘導が達成される。しかし、放射の指向性を制御するための導波路の周波数範囲及び有効性は、導波路によってカバーされる表面積によって大きく決定される導波路のサイズ、即ち、ラウドスピーカーの前面バッフル（フェイス）のサイズに依存する。小さな導波路面積は、ツイーター範囲のみといったように、高周波数についての指向性制御を制限する。大きな導波路面積は、指向性制御の周波数範囲を、ミッドレンジ・ドライバーの周波数範囲等のより低い周波数に拡張することを可能にする。
【０００４】
小型のラウドスピーカーが設計される場合、一般的にすべてのドライバーを導波路（低周波ラジエータ、ウーファー等）の中心に置くことはできない。これらの他のドライバー及びドライバーそれ自体によって占有される表面積は導波路のため利用可能なバッフル面積を制限するか、又は付加的にオーディオ・エネルギーの有害な回折を生み出し、聴取者に聞こえるオーディオ信号の品質を劣化させる。
【０００５】
従来技術では、ラウドスピーカーの前面側に１つ以上の導波路を有するラウドスピーカーを作成する試みがなされてきた。本出願の出願人は、このような様々な解決策を早期に生み出したが、筐体の完全な前面バッフル面（フェイス）を導波路として使用していない。
【０００６】
ドライバーによる空気（air）の体積変位は空気の流れを許容するために十分な開口（openings）を必要とするので、低周波ドライバーを覆うことは、ドライバーの動的性能にいくつかの問題を引き起こす可能性がある。
【発明の概要】
【０００７】
本発明によれば、上記の問題の少なくともいくつかは、以下のように非同軸ドライバーを位置させることにより解決される。すなわち、筐体の前面（フェイス）上に形成された導波路形状を妨害しないように非同軸ドライバーを位置させることで解決される。また、同じ表面（筐体の前面（フェイス））に位置している場合には、選択された周波数において固体表面として有利に機能し、また導波路が設計された音源によって放射される周波数の侵入（penetration）を制限し他方で他の周波数、より具体的には非同軸ドライバー、典型的にはウーファー、によって放射される周波数、に対して透過性のある材料によって覆われるように非同軸ドライバーを位置させることで解決される。
【０００８】
また、本発明の目的は、ウーファーの動的性能を改善することにある。
【０００９】
より具体的には、本発明によるラウドスピーカーは、請求項１の特徴部分に記載されていることを特徴とする。
【００１０】
本発明の一実施形態によれば、ラウドスピーカーは内部容積を規定する前部、側部及び後部を有する筐体を含み、前部はラウドスピーカーの主音響パワーを放射し、また、ラウドスピーカーは筐体に設けられたドライバーを含む。この実施形態によれば、サブ容積が内部容積の内部に形成され、そして、サブ容積がドライバー、ドライバーと筐体との間のスペーサー、及び前部を覆う層によって制限されるように、ドライバーが前部の背後で筐体内部に設けられる。そして、少なくとも１つの第１のポートがサブ容積から筐体の側部又は後部まで開口する。
【００１１】
本発明の別の実施形態によれば、２つのウーファーが、同軸ドライバーの両側に配置されるように筐体の前面（フェイス）に位置される。同軸ドライバーは、中域及び高域周波数両方のためのドライバーを含む。典型的には、ウーファーは音響的に透明な層（acoustically transparent layer）を介して放射を行う。音響的に透明な層は、低周波数を通過させるが、同軸ドライバーによって放射されるより高い周波数に対して本質的に非透過性であり、少なくともその透過を本質的に制限する。音響的に透明な層は、筐体の前面（フェイス）上の導波路の一部として形成される。
【００１２】
本発明の更なる実施形態によれば、音響的に透明な層を形成するために使用される層は、フェルトのような多孔質材料、オープン・セル（open cell）構造の発泡プラスチック（expanded plastic）、又は織物（fabric）である。
【００１３】
本発明の一実施形態によれば、ラウドスピーカーは内部容積を規定する前部、側部及び後部を有する筐体を含み、前部はラウドスピーカーの主音響パワーを放射し、そして、ラウドスピーカーはまた筐体に設けられたドライバーを含む。この実施形態によれば、サブ容積が内部容積の内部に形成され、サブ容積がドライバー、筐体構造、それに加えて筐体の前部によって制限され、そしてサブ容積が筐体の側部又は後部に対するポート開口を有するように、ドライバーが筐体の内部に設けられる。この実施形態の１つの追加実施形態によれば、前部は三次元導波路として形成され、三次元導波路はその中心に位置される少なくとも１つ、典型的には２つ、のドライバーを有する。サブ容積のポートは、典型的には側部に開口し、一実施形態では、ポートは、Ｕ字型溝によって規定される面が第１の音響軸に対して本質的に垂直であるようなＵ字型溝である。
【００１４】
本発明の助力により注目すべき利点が得られる。
【００１５】
本発明の一実施形態を用いて低周波ドライバーをカバーすることができ、更にドライバーの動的性能に関する問題を回避することができる。
【００１６】
本発明を用いて、ラウドスピーカーの前面（フェイス）全体を、中域及び高域周波数用の連続導波路として形成することができる。この手段により、１８Ｈｚ〜２００００Ｈｚの全オーディオ範囲（whole audio range）は、１つの「スイートスポット（sweet spot）」に正確に向けられる。加えて、ラウドスピーカーの筐体自体が主方向以外の方向の周波数応答（frequency response）に本質的に影響を与えないように、ラウドスピーカーの完全な導波路形状（full waveguide form）により残りの音声エネルギーがリスニングルーム（listening room）に分けられる。
【００１７】
換言すると、全部のバッフルプレート（complete baffle plate）が平面的であるか、又は導波路として部分的にのみ湾曲している従来のラウドスピーカーでは、「スイートスポット」以外の方向に形成された信号は、制御されていないようなやり方ではリスニングルームの壁から反射されてしまう。しかしながら、本発明は音圧（sound pressure）が全方向に最適に分配される筐体を提供するので、壁の反射（反響）による音も人間の耳に自然なものとなる。
【００１８】
以下で、本発明の特定の好ましい実施形態について、添付の図面を参照して説明する。
【図面の簡単な説明】
【００１９】
【図１】本発明の１つの好ましい実施形態によるラウドスピーカーの正面図である。
【図２】図１によるラウドスピーカーの断面図である。
【図３】本発明の別の好ましい実施形態によるラウドスピーカーの正面図である。
【図４】本発明が２つのラウドスピーカーと共に使用された場合の主要な波動伝播図の上面図である。
【図５】本発明によるラウドスピーカーの一端を示す斜視図である。
【図６】図５の実施形態の別の斜視図である。
【図７】本発明の別の実施形態によるラウドスピーカーの断面図である。
【図８】図７によるラウドスピーカーの正面図である。
【発明を実施するための形態】
【００２０】
以下の符号は、本発明を記述する用語に関連して使用される。
１：ラウドスピーカー
２：筐体（enclosure）
３：導波路ドライバー、また同軸ドライブ又はツイーターのみ、第１のドライバー
４：ウーファー、低周波ドライバー、追加のドライバー
５：ウーファーのための前面ポート（開口部）、筐体２の表面に外側リムを有する低周波ドライバー、リムは前面ポートのリムの面を規定する
６：音響的かつ選択的に透明な層（部分）
７：音響的に透明な層のための支持構造
８：三次元導波路表面、また、導波路ドライバー３の中心の周りで軸対称の特徴を有する滑らかな連続面を有する主音響パワーを放射する筐体２の前部表面（フェイス）
９：複数のラウドスピーカー用のスイートスポット
１０：第１の音響軸
１１：第２の音響軸
１２：ツイーター
１３：ミッドレンジ・ドライバー
１５：筐体の前部（front portion）（壁）（導波路表面８であってもよい）、前面バッフル部分、前部は主要音響パワーを放射し、導波路表面８を含み、第１の音響軸１０に垂直な面２８を有する
Ｂ１：導波路ドライバー３の周波数帯（frequency band）、第１の周波数帯
Ｂ２：非同軸ドライバー４の周波数帯、第２の周波数帯
Ｃ：バンドＢ１とＢ２との間のクロスオーバー周波数帯
２０：第１のポート、また、筐体表面上に第１のポート面を規定する外側リムを有する側部開口、Ｕ字型溝
２１：筐体の側部（side portion）（壁）
２２：サブ容積（sub volume）、また、ウーファーの前面スペース、低周波ドライバー、内部容積（inner volume）２７の一部
２３：ドライバー４と筐体２との間にスペーサーを形成するサブ容積（前面スペース）の側壁、側壁２３の中央の接線は前部１５の面２８に対して０とは異なる角度、典型的には約９０°の角度を有する
２５：筐体の後部（back portion）、後部２５の中央に形成された接線によって規定された面を有し、後部２５は典型的には前部１５の面と平行であり、後部２５の面は本発明にしたがって種々の異なる角度を有する
２６：周囲容積（ambient volume）
２７：筐体２の内部容積、追加のドライバー４が音響的に連結される
２８：前部の面
２９：側部２１の面であり、この部分の中心の接線によって決定される
３０：後部の面、この部分の中心の接線によって決定される
３１：前面ポート５の面
３２：第１のポート２０の面、第１のポート２０が後部２５に配置されていない場合前面ポート５の面３１といずれかの第１のポート２０の面が０°より大きい、好ましくは４５°より大きい、角度αを有する
３３：スペーサー、ウーファーと前部１５との間の部分、筐体２の一体部分か別体の要素
３４：反射ポート
α：前面ポート５の面３１と第１のポート２０の面３２との間の角度
【００２１】
本発明の図１に示す一実施形態によれば、ラウドスピーカー１は、ツイーター１２及びその周囲のミッドレンジ・ドライバー１３を有する同軸導波路ドライバー３を含む。同軸ドライバー３は、三次元導波路表面８の中心、筐体２の前面（フェイス）でもある、に位置される。導波路表面８は、ドライバー３の主な音響パワーを放射する。導波路８は、導波路ドライバー３の中心の周りに軸対称の特徴を有する滑らかな連続表面を有する。２つのウーファー・ドライバー４は、筐体２内の導波路ドライバー３の両側に位置され、筐体２から音響エネルギーを導き出すためウーファー４には適切なポート（開口）５が形成されている。
【００２２】
図２を参照すると、開口５は、導波路表面８の一部を形成する音響的に透明な層６で覆われている。必要であれば、音響的に透明な層６は支持バー７によって下方から支持されてもよい。ウーファー・ドライバー４は典型的には音響的に透明な層６から離間されている。
【００２３】
図１を参照すると、２つのウーファー４は、ウーファーがそれ自身の音響軸１１を有するにもかかわらず、導波路ドライバー３と本質的に同じ音響軸１０に沿って放射する同等の大きなウーファーを形成する。
【００２４】
言い換えると、ラウドスピーカー１は、第１のドライバー３及び第２のドライバー４を含む。第１のドライバー３は第１の周波数帯Ｂ１及び対応する第１の音響軸１０を生成するように構成される。第２のドライバー４は第２の周波数帯Ｂ２を生成するように構成される。ここで、第２の周波数帯Ｂ２は、第１の周波数帯Ｂ１とは異なるが、クロスオーバー領域で重複してもよい。また、第２の周波数帯Ｂ２は第２の音響軸１１を有する。筐体２は、第１のドライバー３及び第２のドライバー４を囲む。また、筐体２は三次元導波路８を含む。三次元導波路８は筐体２の前面に位置され、第１のドライバー３の周囲に位置される。三次元導波路８は、音響的かつ選択的に透明な部分６を備える。本質的に、音響的かつ選択的に透明な部分６は、音響的に、第１の音響軸１０に対して角度を有する方向に伝播する第１の周波数帯Ｂ１の音波に反響する。音響的かつ選択的に透明な部分６は、導波路部分６を通って第２の音響軸の方向に伝播する第２の周波数帯Ｂ２の音波に対して本質的に透明である。第２のドライバー４は、音響的かつ選択的に透明な部分６の背後の筐体２の内部に位置される。
【００２５】
上記したように、個々のウーファー・ドライバーの第２の音響軸１１は、第１の音響軸１０とは非同軸であるが、（同等のウーファー・ドライバーとして）共に機能する複数のウーファーの合成軸（resultant axis）は同軸ドライバー、導波路ドライバー３、と同じ音響軸を有する。しかし、このような調和（symmetry）は本発明のすべての実施形態では必須ではない。軸線１０及び１１は、平行であっても非平行であってもよい。
【００２６】
図１及び図２を参照すると、ウーファー４は、サブ容積２２がウーファー４の前に形成され、ウーファー４自体、側壁２３及び音響的かつ選択的に透明な層６によって制限されるように、筐体２の内部に位置される。
【００２７】
サブ容積（前面スペース）２２の側壁３３は、ドライバー４と筐体２との間にスペーサーを形成し、筐体２の内部容積２７の残りの部分からサブ容積２２を封止（sealing）する。詳細には、内部容積２７は、筐体２の壁、すなわち前部１５、側部２１及び後部２５によって制限される。
【００２８】
本発明のいくつかの実施形態では、音響的かつ選択的に透明な層６は、機械的保護グリッドで置き換えてもよい。この場合の機械的保護グリッドは、内部容積２７と共にサブ容積を制限する。好都合には、ウーファー４の動作を最適化するため、第１のポート２０はサブ容積２２の側壁２３内で、かつ筐体２の側部２１に対して形成される。これら第１のポート２０がなければウーファー４の性能を落とす可能性がある。第１のポート２０は、側部２１のいずれかの上、例えば、図に示すように短い側部２１上に、また二者択一的に長い側部２１に対して、位置されてもよい。
【００２９】
典型的には、第１のポート２０は、第１の軸１０及び第２の軸１１に対して実質的に直角に、最も好ましくはこれらの軸に対して６０°〜１２０°の範囲内に向けられる。しかし、第１のポート２０が例えばチャネルによって筐体２の後部２５に導かれるとき、第１のポート２０の方向と軸１０及び軸１１との間の差は１８０°であってもよい。
【００３０】
これら第１のポート２０の面積は、典型的には、ウーファー４の開口部５の面積の５％〜５０％であり、最も好都合には、ウーファー４の開口部５の面積の１０％〜２０％の範囲である。第１のポート２０の全面積は重要な特徴である。したがって、第１のポート２０は、図に示されているように各ウーファー４のための単一の第１のポート２０のみであってもよく、又は単一のポートに対応する面積を有するグリッドのような複数の第１のポート２０で形成されてもよい。
【００３１】
第１のポート２０は、三次元導波路表面８を妨害してはならないので、好都合には筐体２の側部２１上に位置される。もちろん、これら第１のポート２０は、適切なチューブ又はチャネル（図示せず）によって筐体２の後部２５に導かれてもよい。言い換えると、第１のポート２０は、筐体２の前部１５の三次元導波路８の外側のエリアへの空気通路（air passages）を形成する。
【００３２】
典型的には、第２のドライバー４は、音響的かつ選択的に透明な部分６の背後の筐体２の内部に位置され、そこから離間している。なお、筐体２内にサブ容積２２が形成され、そして、ドライバー４、及びドライバー４と筐体２の前部１５との間にスペーサーとして形成される側壁２３によってサブ容積２２が内部容積２７から離間されるように、第２のドライバー４は位置される。
【００３３】
本発明の代替的な実施形態では、音響的かつ選択的に透明な部分６は、選択的な透明性の完全な特性を有さない機械的保護グリッドで置き換えることができる。
【００３４】
図３は、開口部５が大きく丸みのある開口部として組み合わされた本発明の別の実施形態を示す。
【００３５】
図４は、ラウドスピーカーがリスニング位置であるスイートスポット９に向けられた、本発明によるラウドスピーカー１の典型的な位置決めを示す。筐体２の完全な前面が導波路８として形成されているという事実のため、非常に良好な指向性（very good directivity）が達成される。加えて、導波路８の外形は、リスニングルーム内の全方向に対する全周波数の均一な分布を生じさせ、したがって、壁、天井及び床からの反射（反響）は、音のカラレーション（coloration of the sound）を引き起こさない。図４はまた、ラウドスピーカー１の筐体２の前部１５、側部２１及び後部２５を示す。
【００３６】
図５及び図６は、第１のポート２０の位置決めのための本発明の一実施形態を示す。
【００３７】
図７及び図８は別の実施形態の側面図を示し、各ウーファー４は筐体の側部に開口する単一の第１のポート２０のみを有する。特に図８から分かるように、第１のポート２０はＵ字型スロットであり、他の実施形態で提示される前面ポート５は閉鎖され、筐体の前部１５で置き換えられて、導波路面８を形成している。
【００３８】
典型的には、本発明によるラウドスピーカーは、周知のバス・レフレックス（bass reflex）原理にしたがって機能する。バス・レフレックス原理においては、低周波ドライバー４が、筐体の内部容積２７内に含まれる空気体積（air volume）及び図７の反射ポート３４内に収容される空気体積のコンプライアンス（compliance）の助力を得て共振で調整される。
【００３９】
音響的かつ選択的に透明な層６との関連で、本質的に反射（反響）とは、音響エネルギーの少なくとも５０％〜１００％、好ましくは８０％〜１００％の範囲内、の反射（反響）又は吸収を意味する。
【００４０】
同様に、本質的に透明とは、音響エネルギーの少なくとも５０％〜１００％、好ましくは８０％〜１００％の範囲内、の透明度を意味する。
【００４１】
以下では、音響的かつ選択的に透明な層６の更なる有利な特性が提示される。
【００４２】
有利には、層６の厚さは以下の通りである。
・フェルト（felt）で、厚さ約１ｍｍ…５ｍｍ
・オープン・セル発泡プラスチック（open cell plastic foam）で、厚さ約１ｍｍ〜２０ｍｍ、孔径１ｍｍ以下
・薄い織物（thin fabrics）それ自体又は層６の一部
【００４３】
層６は導波路ドライバー３の音響放射を減衰すべきであり、これは典型的には６００Ｈｚを超える周波数であることを意味する。
【００４４】
言い換えれば、層６は、周波数の関数として音響インピーダンス（又は吸収）を有するべきであり、したがって以下の方法で音響フィルターとして機能する。
・ウーファー・ドライバー４からの音声が通過しているときの低域通過（lowpass）
・導波路ドライバー３からの高周波数に対する減衰（例えば、乱流又は高損失での吸収によって引き起こされる）、減衰は中及び高周波数における音波の強い反射（反響）を引き起こす
・ドライバー３の高周波数に対する高い反射率
【００４５】
有利には、層６は、以下の方法で、孔又は細孔又はそれらの組み合わせから形成される。
・単層６が使用される場合、孔は１ｍｍより小さい直径を有すべき
・複数の層６が使用される場合、１ｍｍより小さい直径を有する孔が作用し得る
・また、複数の層６が使用される場合、１ｍｍより大きい直径を有する孔が作用し得る（まだテストされていない）
・フェルトやオープン・セル・プラスチック加工のような微細構造（microstructure）
【００４６】
層６の理想的な材質のプロパティは以下の通りである。
・気体透過性（＝多孔性）
・クロスオーバー周波数Ｃまでの低い音響損失（ウーファー４）
・クロスオーバー周波数Ｃよりわずかに高い高音響反射率
・上記基準を満たす既知の材料
・厚さ約１ｍｍ…５ｍｍのフェルト
・厚さ１ｍｍ〜２０ｍｍのオープン・セル発泡プラスチック、孔径が１ｍｍより小さい
【００４７】
層６は、ラウドスピーカーの前面（ツイーター１２は除く）又は穴（開口部）５のみを覆うことができる。
【００４８】
層６はまた、上記の多孔性（porosity）及び周波数特性の要求にしたがって１つ又はいくつかの層上にメッシュ（mesh）又はグリッド（grid）のような金属構造として形成することができる。この種の構造は、例えば、約０.２ｍｍ〜２ｍｍの厚さの有孔の金属シート又はプレートの積み重ねによって形成される。この種の積み重ねの特性は、孔又は細孔の配置（分布）、孔又は細孔の割合（percentage）（開放性）、及びプレート相互間の間隔によって調整することができる。孔又は開孔の直径は、典型的には約０．３ｍｍ〜３ｍｍで変化し得る。シート又はプレート間の間隔は、典型的には約０．２ｍｍ〜２ｍｍである。
【００４９】
上記した金属構造は、その特性を自由に調整することができ、色のような外部特性も無制限に選択できるので、有利である。
【００５０】
クロスオーバー周波数Ｃは、典型的には以下の通りである。
・低周波数ｆ<６００Ｈｚ（ウーファー出力範囲）
・高周波数ｆ>６００Ｈｚ（ミッドレンジ及び／又はツイーターの出力範囲）
【００５１】
大型導波路８と組み合わせた本発明によれば、以下の構成が得られる。
・ウーファー４が導波路表面８の背後に配置される
・指向性を得るために２つ以上（例えば４つ）のウーファー４を使用することができる
【００５２】
また、ウーファーを１つのみ含む実施形態も可能であるが、低周波数用の指向性は、ラウドスピーカー筐体の前面バッフルのサイズと組み合わせてウーファーの空気移動面のサイズによって提供されるものを超えては、得られない。
【００５３】
本発明は、以下の方法でも記述することができる。
【００５４】
ラウドスピーカー１は、内部容積２７を規定し、そして前面バッフル部１５（前部）を含む筐体２を備える。前面バッフル部１５は、筐体２の内部容積２７と周囲容積２６との間に流体通路（fluid passage）を提供する前面ポート５と、前面バッフル部１５の周囲から後方に延在する側部２１とを有する。側部２１は側壁又は筐体２を形成する。筐体は更に、典型的に前面バッフル部１５と本質的に平行であって、筐体２の後部側を形成する後部２５を含む。ラウドスピーカー１は更に、前面バッフル部１５から離れて配置されるようにして筐体２に設けられたドライバー４を備える。また、スペーサー３３によってドライバー４と前面バッフル部１５との間にサブ容積２２が形成されるように、筐体２内にサブ容積２２が形成される。なお、前面ポート５は、筐体２のサブ容積２２と周囲容積２６との間の前面ポートとして機能する。この実施形態によれば、サブ容積２２と周囲容積２６とを互いに連結するため、側部２１又は後部２５のいずれかにおいて、第１のポート２０が筐体２に形成される。
【００５５】
以下において、段落（paragraphs）が本発明の幾つかの実施形態として説明される。
【００５６】
［段落１］
内部容積２７を規定する前部１５、側部２１及び後部２５を有する筐体２を含むラウドスピーカー１であって、
前記前部１５は、導波路表面８として形成され、前記導波路表面８の中央部に少なくとも１つのドライバー１２、１３を含み、前記ラウドスピーカー１の主音響パワーを第１の音響軸１０の方向に放射することができ、
前記ラウドスピーカー１は、前記筐体２に設けられた少なくとも１つの追加のドライバー４を含み、
サブ容積２２が内部容積２７の内部に形成され、前記サブ容積２２が前記ドライバー４、前記ドライバー４と前記前部１５との間のスペーサー３３、及び前記筐体２の前記前部１５によって制限されるように、前記追加のドライバー４が前記筐体２の内部に取り付けられ、
少なくとも１つの第１のポート２０は、前記筐体２の前記側部２１又は前記後部２５に関し、前記サブ容積２２から周囲容積２６まで開口するように構成される、ことを特徴とするラウドスピーカー１。
【００５７】
［段落２］
前記前部１５に対して開口し、音響的かつ選択的に透明な層６によって覆われた前面ポート５を含むことを特徴とする段落１に記載のラウドスピーカー１。
【００５８】
［段落３］
前記ラウドスピーカー１が２つの前記追加のドライバー４を含むことを特徴とする段落１又は２に記載のラウドスピーカー１。
【００５９】
［段落４］
前記追加のドライバー４が、前記内部容積２７に音響的に連結されていることを特徴とする先行するいずれかの段落に記載のラウドスピーカー１。
【００６０】
［段落５］
前記サブ容積２２の前記第１のポート２０が前記側部２１に対してＵ字型溝２０として開口し、前記溝によって規定される面は前記第１の音響軸１０に対して本質的に垂直であることを特徴とする先行するいずれかの段落に記載のラウドスピーカー１。
【００６１】
［段落６］
前記第１のポート２０が前記後部２５に置かれていない場合に、前記前面ポート５の面３１と前記第１のポート２０のいずれかの面３２とが０°より大きい、好ましくは４５°より大きい、角度αを有することを特徴とする先行するいずれかの段落に記載のラウドスピーカー１。
【００６２】
［段落７］
第１の周波数帯Ｂ１及び対応する前記第１の音響軸１０を生成する第１のドライバー３、
前記第１の周波数帯Ｂ１とは異なるが前記第１の周波数帯とクロスオーバー領域で重複し、かつ第２の音響軸１１を有する第２の周波数帯Ｂ２を生成する第２のドライバー４、及び
前記第１及び第２のドライバー３、４に設けられた前記前部１５、前記側部２１及び前記後部２５を有する前記筐体２であって、かつ前記筐体２の前記前部でかつ前記第１のドライバー３の周囲に位置される三次元の前記導波路８を有する前記筐体２を含み、
前記三次元導波路８は音響的かつ選択的に透明な部分６を有し、前記音響的かつ選択的に透明な部分６は前記第１の音響軸に対して角度を有する方向に伝播する前記第１の周波数帯Ｂ１の音波に音響的かつ本質的に反響し、
前記音響的かつ選択的に透明な部分６は、前記音響的かつ選択的に透明な部分６を通って前記第２の音響軸１１の方向に伝播する前記第２の周波数帯Ｂ２の音波に対して本質的に透明であり、
前記第２のドライバー４は、前記音響的かつ選択的に透明な部分６の背後の前記筐体２の内部に位置される、ことを特徴とする先行するいずれかの段落に記載のラウドスピーカー１。
【００６３】
［段落８］
少なくとも１つの前記第１のポート２０の全面積が、前記前面ポート５の面積の典型的には５％〜５０％であり、有利には前記前面ポート５の面積の１０％〜２０％の範囲内にあることを特徴とする先行するいずれかの段落に記載のラウドスピーカー１。
【００６４】
［段落９］
前記第１のポート２０は、前記筐体２の前記後部２５へのチャンネル又は伝導体によって形成されることを特徴とする先行するいずれかの段落に記載のラウドスピーカー１。
【００６５】
［段落１０］
前記第１のポート２０の前記面３２は、前記第１の音響軸１０に対して８０°〜１８０°の角度を有することを特徴とする先行するいずれかの段落に記載のラウドスピーカー１。
【００６６】
［段落１１］
前記第２の音響軸１１は前記第１の音響軸１０に対して非同軸的であることを特徴とする先行するいずれかの段落に記載のラウドスピーカー１。
【００６７】
［段落１２］
前記第２の音響軸１１は前記第１の音響軸１０に対して平行ではないことを特徴とする先行するいずれかの段落に記載のラウドスピーカー１。
【００６８】
［段落１３］
前記音響的かつ選択的に透明な部分６は多孔性材料からなることを特徴とする先行するいずれかの段落に記載のラウドスピーカー１。
【００６９】
［段落１４］
前記音響的かつ選択的に透明な部分６は孔径が１ｍｍより小さい多孔性材料からなることを特徴とする先行するいずれかの段落に記載のラウドスピーカー１。
【００７０】
［段落１５］
前記音響的かつ選択的に透明な部分６は厚さが約１ｍｍ〜５ｍｍのフェルトからなることを特徴とする先行するいずれかの段落に記載のラウドスピーカー１。
【００７１】
［段落１６］
前記音響的かつ選択的に透明な部分６は厚さが約１ｍｍ〜２０ｍｍのオープン・セル発泡プラスチックからなることを特徴とする先行するいずれかの段落に記載のラウドスピーカー１。
【００７２】
［段落１７］
前記音響的かつ選択的に透明な部分６は、ツイーター１２を除く前記ラウドスピーカーの前部表面８全体を覆うことを特徴とする先行するいずれかの段落に記載のラウドスピーカー１。
【００７３】
［段落１８］
前記音響的かつ選択的に透明な部分６は前記前面ポート５のみを覆うことを特徴とする先行するいずれかの段落に記載のラウドスピーカー１。
【００７４】
［段落１９］
前記第１のドライバー３は２つの同軸ドライバー１２、１３を含むことを特徴とする先行するいずれかの段落に記載のラウドスピーカー１。
【００７５】
［段落２０］
前記第１のドライバー３は単一のドライバーのみを含むことを特徴とする先行するいずれかの段落に記載のラウドスピーカー１。
【００７６】
［段落２１］
前記音響的かつ選択的に透明な部分６は金属からなることを特徴とする先行するいずれかの段落に記載のラウドスピーカー１。
【００７７】
［段落２２］
前記音響的かつ選択的に透明な部分６は金属メッシュからなることを特徴とする先行するいずれかの段落に記載のラウドスピーカー１。
【００７８】
［段落２３］
前記音響的かつ選択的に透明な部分６は複数層の金属メッシュからなることを特徴とする先行するいずれかの段落に記載のラウドスピーカー１。
【００７９】
［段落２４］
前記音響的かつ選択的に透明な部分６は有孔の複数層の金属シートからなることを特徴とする先行するいずれかの段落に記載のラウドスピーカー１。
【００８０】
［段落２５］
前記音響的かつ選択的に透明な部分６は０．２ｍｍ〜２ｍｍの範囲内で相互に離間している複数のシートからなることを特徴とする先行するいずれかの段落に記載のラウドスピーカー１。
【００８１】
［段落２６］
前記ラウドスピーカー１はバス・レフレックス型のラウドスピーカーであることを特徴とする先行するいずれかの段落に記載のラウドスピーカー１。
【図１】
0006619426.tif 000002
【図２】
0006619426.tif 000003
【図３】
0006619426.tif 000004
【図４】
0006619426.tif 000005
【図５】
0006619426.tif 000006
【図６】
0006619426.tif 000007
【図７】
0006619426.tif 000008
【図８】
0006619426.tif 000009